(57)【要約】【課題】  プラント制御システムの操作性とセキュリティ性を両立可能なユーザ認証方法およびユーザ認証装置等を提供する。【解決手段】  ユーザＩＤを、ユーザが携帯する送信装置７からプラント制御システムに設けられたＩＤ読取装置６に向け送信するステップと、ＩＤ読取装置６により読み取られたユーザＩＤに基づいて、プラント制御システムにおけるユーザ認証を実行するステップと、を備える。ユーザがＩＤ読取装置６に接近したことを検知するステップを備え、ユーザ認証を実行するステップは、ユーザがＩＤ読取装置６に接近したことが検知された場合に実行されるようにしてもよい。また、ユーザ認証の対象となったユーザの、プラント制御システムに対する操作を受け付けるステップと、受け付けられた操作を、ＩＤ読取装置６により読み取られたユーザＩＤと関連付けて操作履歴として記憶部３１に記憶するステップと、を備えてもよい。【選択図】図１
2006195621.tif 000002
【特許請求の範囲】
【請求項１】
プラント制御システムにおけるユーザ認証を行うユーザ認証方法において、
ユーザＩＤを、ユーザが携帯する送信装置からプラント制御システムに設けられたＩＤ読取装置に向け送信するステップと、
前記ＩＤ読取装置により読み取られた前記ユーザＩＤに基づいて、前記プラント制御システムにおけるユーザ認証を実行するステップと、
を備えることを特徴とするユーザ認証方法。
【請求項２】
前記ユーザが前記ＩＤ読取装置に接近したことを検知するステップを備え、
前記ユーザ認証を実行するステップは、前記ユーザが前記ＩＤ読取装置に接近したことが検知された場合に実行されることを特徴とする請求項１に記載のユーザ認証方法。
【請求項３】
前記ユーザ認証の対象となったユーザの、前記プラント制御システムに対する操作を受け付けるステップと、
受け付けられた前記操作を、前記ＩＤ読取装置により読み取られた前記ユーザＩＤと関連付けて操作履歴として記憶するステップと、
を備えることを特徴とする請求項１または２に記載のユーザ認証方法。
【請求項４】
前記ユーザ認証の対象となったユーザの、前記プラント制御システムに対する操作を受け付けるステップと、
前記プラント制御システムに対する前記操作を受け付ける操作環境を、前記ユーザＩＤに対応付けて予め記憶するステップと、
を備え、
前記プラント制御システムに対する操作を受け付けるステップでは、操作を受け付ける当該ユーザのユーザＩＤに対応付けられて記憶された前記操作環境を呼び出すことを特徴とする請求項１または２に記載のユーザ認証方法。
【請求項５】
前記ユーザ認証の対象となったユーザがプラント制御システムに対する操作位置から退出したことを検知するステップと、
前記ユーザ認証の対象となったユーザが所定位置から退出したことが検知された場合にプラント制御システムに対する操作を拒否するステップと、
を備えることを特徴とする請求項１〜４のいずれか１項に記載のユーザ認証方法。
【請求項６】
プラント制御システムにおけるユーザ認証を行うユーザ認証装置において、
ユーザＩＤを、ユーザが携帯する送信装置からプラント制御システムに設けられたＩＤ読取装置に向け送信するユーザＩＤ送信手段と、
前記ＩＤ読取装置により読み取られた前記ユーザＩＤに基づいて、前記プラント制御システムにおけるユーザ認証を実行する認証手段と、
を備えることを特徴とするユーザ認証装置。
【請求項７】
前記ユーザが前記ＩＤ読取装置に接近したことを検知する接近検知手段を備え、
前記認証手段は、前記接近検知手段により前記ユーザが前記ＩＤ読取装置に接近したことが検知された場合に、ユーザ認証を実行することを特徴とする請求項６に記載のユーザ認証装置。
【請求項８】
前記ユーザ認証の対象となったユーザの、前記プラント制御システムに対する操作を受け付ける操作受付手段と、
受け付けられた前記操作を、前記ＩＤ読取装置により読み取られた前記ユーザＩＤと関連付けて操作履歴として記憶する操作履歴記憶手段と、
を備えることを特徴とする請求項６または７に記載のユーザ認証装置。
【請求項９】
前記ユーザ認証の対象となったユーザの、前記プラント制御システムに対する操作を受け付ける操作受付手段と、
前記プラント制御システムに対する前記操作を受け付ける操作環境を、前記ユーザＩＤに対応付けて予め記憶する環境記憶手段と、
を備え、
前記操作受付手段は、操作を受け付ける当該ユーザのユーザＩＤに対応付けられて記憶された前記操作環境を呼び出すことを特徴とする請求項６または７に記載のユーザ認証装置。
【請求項１０】
前記ユーザ認証の対象となったユーザがプラント制御システムに対する操作位置から退出したことを検知する退出検知手段と、
前記ユーザ認証の対象となったユーザが所定位置から退出したことが検知された場合にプラント制御システムに対する操作を拒否する操作拒否手段と、
を備えることを特徴とする請求項６〜９のいずれか１項に記載のユーザ認証装置。
【請求項１１】
プラント制御システムを構成する機器を管理する機器管理方法において、
前記機器に取り付けられた電子タグに対する、当該機器に関する情報の書き込みを受け付けるステップと、
前記電子タグに書き込まれた前記情報の読み込みを受け付けるステップと、
を備えることを特徴とする機器管理方法。
【発明の詳細な説明】
【技術分野】
【０００１】
本発明は、プラント制御システム、プラント運転支援システム等におけるユーザ認証を行うユーザ認証方法、ユーザ認証装置、およびプラント制御システムを構成する機器を管理する機器管理方法に関する。
【背景技術】
【０００２】
プラントの規模に応じて適宜、分散配置されたフィールドコントローラを介し、プラントのフィールド機器を制御するプラント制御システムが知られている。プラント制御システムでは、自動制御によるプラント操業のほか、運転員の操作によってプラントの運転やシステムの構築を実行することが可能である。
【０００３】
プラント制御システムに対する操作においては、セキュリティ維持のため、操作を行う運転員が予めその操作について許可された者であるかを確認したり、どのような操作が行われたかを記録したりする必要がある。そのため、運転員は操作を行う際に、自分が許可された者であることをシステムに認識させるユーザ認証を行う必要がある。このユーザ認証では、運転員は自分に割り当てられたユーザアカウントやパスワードをシステムに入力する。プラント運転を支援するプラント運転支援システムに対して操作を行う場合も同様である。
【０００４】
特許文献１には、画面上で複数のユーザについて認証検査を行う認証検査装置が記載されている。
【０００５】
【特許文献１】特開２００３−１５０５５１号公報
【発明の開示】
【発明が解決しようとする課題】
【０００６】
しかし、従来のユーザ認証の方式では、運転員がパスワードを忘れてしまう、あるいは第三者に解読されてしまうという可能性がある。また、ログオンまたはユーザ認証後に第三者が本人になりすまして行う操作を防止し難い、というセキュリティ上の問題がある。
【０００７】
また、システムのセキュリティ性を高めようとするほど、ユーザ認証の回数が増加し、運転員は自らのアカウントやパスワードを何度も入力しなければならない。その結果、ユーザ認証のための操作に煩わしさが増すとういう問題がある。
【０００８】
さらに、一般に、アカウントやパスワードの入力にはキーボード等の入力装置が用いられているが、実際のプラントの現場では入力装置が設置できない環境が多く、適用範囲に制約がある。また、システム管理者は、ユーザアカウントやパスワードを管理する必要があり、システム運用コストの増加要因となっている。
【０００９】
本発明の目的は、プラント制御システムの操作性とセキュリティ性を両立可能なユーザ認証方法およびユーザ認証装置等を提供することにある。
【課題を解決するための手段】
【００１０】
本発明のユーザ認証方法は、プラント制御システムにおけるユーザ認証を行うユーザ認証方法において、ユーザＩＤを、ユーザが携帯する送信装置からプラント制御システムに設けられたＩＤ読取装置に向け送信するステップと、前記ＩＤ読取装置により読み取られた前記ユーザＩＤに基づいて、前記プラント制御システムにおけるユーザ認証を実行するステップと、を備えることを特徴とする。
このユーザ認証方法によれば、ユーザＩＤを、ユーザが携帯する送信装置から送信し、ＩＤ読取装置により読み取られたユーザＩＤに基づいてユーザ認証を実行するので、ユーザ認証に煩雑な操作を必要としない。
【００１１】
前記ユーザが前記ＩＤ読取装置に接近したことを検知するステップを備え、前記ユーザ認証を実行するステップは、前記ユーザが前記ＩＤ読取装置に接近したことが検知された場合に実行されるようにしてもよい。
この場合には、ユーザが前記ＩＤ読取装置に接近したことが検知された場合にユーザ認証を実行するので、ユーザ認証のための操作負担を軽減できる。
【００１２】
前記ユーザ認証の対象となったユーザの、前記プラント制御システムに対する操作を受け付けるステップと、受け付けられた前記操作を、前記ＩＤ読取装置により読み取られた前記ユーザＩＤと関連付けて操作履歴として記憶するステップと、を備えてもよい。
この場合には、受け付けられた操作を、ＩＤ読取装置により読み取られたユーザＩＤと関連付けて操作履歴として記憶するので、操作履歴を監査証跡として利用できる。
【００１３】
前記ユーザ認証の対象となったユーザの、前記プラント制御システムに対する操作を受け付けるステップと、前記プラント制御システムに対する前記操作を受け付ける操作環境を、前記ユーザＩＤに対応付けて予め記憶するステップと、を備え、前記プラント制御システムに対する操作を受け付けるステップでは、操作を受け付ける当該ユーザのユーザＩＤに対応付けられて記憶された前記操作環境を呼び出してもよい。
この場合には、プラント制御システムに対する操作を受け付ける際に、操作を受け付ける当該ユーザのユーザＩＤに対応付けられて記憶された操作環境を呼び出すので、ユーザに最適な操作環境を確保できる。
【００１４】
前記ユーザ認証の対象となったユーザがプラント制御システムに対する操作位置から退出したことを検知するステップと、前記ユーザ認証の対象となったユーザが所定位置から退出したことが検知された場合にプラント制御システムに対する操作を拒否するステップと、を備えてもよい。
この場合には、ユーザ認証の対象となったユーザが所定位置から退出したことが検知された場合にプラント制御システムに対する操作を拒否するので、ユーザ認証の対象となったユーザになりすました第三者による不正な操作を防止できる。なお、ユーザ認証の対象となったユーザがプラント制御システムに対する操作位置から退出したことを検知する方法は限定されない。また、プラント制御システムに対する操作を拒否する方法は限定されない。
【００１５】
本発明のユーザ認証装置は、プラント制御システムにおけるユーザ認証を行うユーザ認証装置において、ユーザＩＤを、ユーザが携帯する送信装置からプラント制御システムに設けられたＩＤ読取装置に向け送信するユーザＩＤ送信手段と、前記ＩＤ読取装置により読み取られた前記ユーザＩＤに基づいて、前記プラント制御システムにおけるユーザ認証を実行する認証手段と、を備えることを特徴とする。
このユーザ認証装置によれば、ユーザＩＤを、ユーザが携帯する送信装置から送信し、ＩＤ読取装置により読み取られたユーザＩＤに基づいてユーザ認証を実行するので、ユーザ認証に煩雑な操作を必要としない。
【００１６】
前記ユーザが前記ＩＤ読取装置に接近したことを検知する接近検知手段を備え、前記認証手段は、前記接近検知手段により前記ユーザが前記ＩＤ読取装置に接近したことが検知された場合に、ユーザ認証を実行してもよい。
この場合には、ユーザが前記ＩＤ読取装置に接近したことが検知された場合にユーザ認証を実行するので、ユーザ認証のための操作負担を軽減できる。
【００１７】
前記ユーザ認証の対象となったユーザの、前記プラント制御システムに対する操作を受け付ける操作受付手段と、受け付けられた前記操作を、前記ＩＤ読取装置により読み取られた前記ユーザＩＤと関連付けて操作履歴として記憶する操作履歴記憶手段と、を備えてもよい。
この場合には、受け付けられた操作を、ＩＤ読取装置により読み取られたユーザＩＤと関連付けて操作履歴として記憶するので、操作履歴を監査証跡として利用できる。
【００１８】
前記ユーザ認証の対象となったユーザの、前記プラント制御システムに対する操作を受け付ける操作受付手段と、前記プラント制御システムに対する前記操作を受け付ける操作環境を、前記ユーザＩＤに対応付けて予め記憶する環境記憶手段と、を備え、前記操作受付手段は、操作を受け付ける当該ユーザのユーザＩＤに対応付けられて記憶された前記操作環境を呼び出してもよい。
この場合には、プラント制御システムに対する操作を受け付ける際に、操作を受け付ける当該ユーザのユーザＩＤに対応付けられて記憶された操作環境を呼び出すので、ユーザに最適な操作環境を確保できる。
【００１９】
前記ユーザ認証の対象となったユーザがプラント制御システムに対する操作位置から退出したことを検知する退出検知手段と、前記ユーザ認証の対象となったユーザが所定位置から退出したことが検知された場合にプラント制御システムに対する操作を拒否する操作拒否手段と、を備えてもよい。
この場合には、ユーザ認証の対象となったユーザが所定位置から退出したことが検知された場合にプラント制御システムに対する操作を拒否するので、ユーザ認証の対象となったユーザになりすました第三者による不正な操作を防止できる。なお、ユーザ認証の対象となったユーザがプラント制御システムに対する操作位置から退出したことを検知する方法は限定されない。また、プラント制御システムに対する操作を拒否する方法は限定されない。
【００２０】
本発明の機器管理方法は、プラント制御システムを構成する機器を管理する機器管理方法において、前記機器に取り付けられた電子タグに対する、当該機器に関する情報の書き込みを受け付けるステップと、前記電子タグに書き込まれた前記情報の読み込みを受け付けるステップと、を備えることを特徴とする。
この機器管理方法によれば、機器に取り付けられた電子タグに対する、当該機器に関する情報の書き込みおよび読み込みを受け付けるので、電子タグを用いて機器を適切に管理できる。
【発明の効果】
【００２１】
本発明によれば、ユーザＩＤを、ユーザが携帯する送信装置から送信し、ＩＤ読取装置により読み取られたユーザＩＤに基づいてユーザ認証を実行するので、ユーザ認証に煩雑な操作を必要としない。したがって、プラント制御システムの操作性とセキュリティ性を両立させることができる。
【発明を実施するための最良の形態】
【００２２】
以下、図１〜図３を参照して、本発明によるユーザ認証方法の一実施形態について説明する。
【００２３】
図１は本実施形態のユーザ認証方法が適用されるプラント制御システムの構成を示すブロック図である。
【００２４】
図１に示すように、プラント制御システムは、フィールド機器１が配置されたプラントの規模に応じてプラント内に適宜分散配置されるフィールドコントローラ２と、フィールドコントローラ２を介してフィールド機器１を統合的に制御する操作監視装置３と、を備える。フィールドコントローラ２および操作監視装置３は、通信バス５を介して互いに接続され、プラント内のプロセス制御が自動的に実行される。また、プロセス制御の状況は操作監視装置３を介して監視でき、また、操作監視装置３を操作端末として使用することで、プラントの運転操作やプラント制御システムの構築、あるいはフィールド機器１へのデータの設定等の操作を実行できる。
【００２５】
操作監視装置３には記憶部３１が設けられ、記憶部３１にはユーザ認証に必要な認証テーブルや、運転員の操作履歴を記録する履歴テーブルが格納される。
【００２６】
図１に示すように、操作監視装置３には、ＲＦＩＤ（Radio Frequency Identification）システムを構成するＩＤ読取装置６が接続され、ＩＤ読取装置６は操作監視装置３に近接して設置されている。
【００２７】
プラント制御システムを操作する運転員はそれぞれのユーザＩＤを電磁波の信号として送信する送信装置７（図１）を携帯している。送信装置７は、例えば、運転員が携帯するＩＤカードあるいはキーホルダー等に内蔵することができる。運転員が送信装置７に近づくと、ＩＤ読取装置６は送信装置７との間で通信を実行し、運動員のユーザＩＤを受信する。操作監査装置３は、上記通信によりＩＤ読取装置６を介して運転員の接近を検知するとともに運転員のユーザＩＤを取得し、自動的にログインの処理を行う。
【００２８】
送信装置７は電源を内蔵するアクティブ方式でもよいし、電源を内蔵しないパッシブ方式でもよい。
【００２９】
図２は本実施形態のユーザ認証方法を実行するための構成を機能的に示すブロック図である。
【００３０】
図２において、ユーザＩＤ送信手段１０１は、ユーザＩＤを、ユーザが携帯する送信装置からプラント制御システムに設けられたＩＤ読取装置６に向け、電磁波を媒体として送信する。認証手段１０２は、ＩＤ読取装置６により読み取られたユーザＩＤに基づいて、プラント制御システムにおけるユーザ認証を実行する。
【００３１】
認証手段１０２は、接近検知手段１０３によりユーザがＩＤ読取装置６に接近したことが検知された場合に、ユーザ認証を実行する。
【００３２】
操作受付手段１０４は、ユーザ認証の対象となったユーザの、プラント制御システムに対する操作を受け付ける。操作履歴記憶手段１０５は、操作受付手段１０４により受け付けられた操作を、ＩＤ読取装置６により読み取られたユーザＩＤと関連付けて操作履歴として記憶する。
【００３３】
環境記憶手段１０６は、プラント制御システムに対する操作を受け付ける操作環境を、ユーザＩＤに対応付けて予め記憶する。そして、操作受付手段１０４は、操作を受け付ける当該ユーザのユーザＩＤに対応付けられて記憶された操作環境を呼び出す。
【００３４】
また、退出検知手段１０７は、ユーザ認証の対象となったユーザがプラント制御システムに対する操作位置から退出したことを検知する。操作拒否手段１０８は、ユーザ認証の対象となったユーザが所定位置から退出したことが検知された場合にプラント制御システムに対する操作を拒否する。
【００３５】
上記、ユーザＩＤ送信手段１０１は、送信装置７（図１）の機能として構成される。また、認証手段１０２、接近検知手段１０３、操作受付手段１０４、操作履歴記憶手段１０５、環境記憶手段１０６、退出検知手段１０７および操作拒否手段１０８は、操作監視装置３（図１）の機能として構成される。
【００３６】
次に、プラント制御システム（図１）におけるユーザ認証処理について説明する。図３はプラント制御システムにおけるユーザ認証の処理手順を示すフローチャートである。図３の処理手順は、操作監視装置３の制御に基づいて実行される。
【００３７】
図３のステップＳ１では、ＩＤ読取装置６が送信装置７からのユーザＩＤを受信したか否か判断し、判断が肯定されるのを待ってステップＳ２へ進む。運転員がＩＤ読取装置６に接近すると、すなわち操作監視装置３に接近すると、ステップＳ１の判断が肯定されることになる。この処理は、接近検知手段１０３（図２）の機能に対応する。
【００３８】
ステップＳ２では操作監視装置３が運転員のユーザＩＤを取得し、記憶部３１に格納された認証テーブルを参照することで、ユーザＩＤの登録を確認し、ログインの処理を実行する。この処理は、認証手段１０２（図２）の機能に対応する。
【００３９】
次に、ステップＳ３では、ログオフすべきか否か判断する。ここでは、ＩＤ読取装置６が送信装置７からのユーザＩＤを受信できない状態となったか否かについて判断する。したがって、運転員がＩＤ読取装置６から離れた場合、すなわち操作監視装置３から離れた場合にステップＳ３の判断が肯定される。この場合にはステップＳ１０においてログオフの処理を実行して操作監視装置３に対する操作の受け付けを拒否し、ステップＳ１へ戻る。ステップＳ３およびステップＳ１０の処理は、それぞれ退出検知手段１０７および操作拒否手段１０８（図２）の機能に対応する。
【００４０】
ステップＳ３の判断が否定された場合、ステップＳ４では、所定の権限が必要な操作を運転員が行おうとしているか否か判断する。後述するように、当該ユーザがこの権限を有していれば操作が許可され、この権限を有していなければ操作が禁止される。ステップＳ４の判断が肯定されればステップＳ５へ進み、否定されればステップＳ３へ戻る。
【００４１】
ステップＳ５では、操作監視装置３の記憶部３１に格納された上記認証テーブルを参照し、ステップＳ２で取得されているユーザＩＤに対応する運転員の権限を取得する。認証テーブルには、各ユーザＩＤに対応する運転員に与えられた権限、すなわち許可されている操作が定義されている。次に、ステップＳ６では、ステップＳ５における処理の結果、この運転員に当該操作が許可されているか否かを判断する。
【００４２】
ステップＳ６の判断が肯定されればステップＳ７へ進み、操作監視装置３に対する運転員の操作を受け付ける。この処理は、操作受付手段１０４（図２）の機能に対応する。
【００４３】
次に、ステップＳ８では、ステップＳ７において受け付けた操作を履歴テーブルに記録して記憶部３１に格納し、ステップＳ３へ戻る。履歴テーブルには、運転員のユーザＩＤと、受け付けた操作とが対応付けて記録される。この処理は、操作履歴記憶手段１０５（図２）の機能に対応する。
【００４４】
一方、ステップＳ６の判断が否定されれば、ステップＳ９へ進み、当該操作の受け付けを禁止して、ステップＳ３へ戻る。
【００４５】
以上のように、本実施形態のユーザ認証方法によれば、ＩＤ読取装置６および送信装置７との間の通信によるＲＦＩＤシステムを使用してユーザ認証を実行するので、運転員は自らのパスワード等を覚えておく義務から解放される。また、パスワードが第三者によって解読される危険もなくなる。さらに、運転員が操作端末として使用される操作監視装置３から離れると自動的にログアウトの処理が実行されるので、その後に第三者が不正な操作を行うことを防止できる。
【００４６】
また、上記実施形態では、運転員にユーザ認証のためのアカウントやパスワード入力等の操作を要求することなく、ユーザ認証を実行できる。このため、種々の場面でユーザ認証を実行してセキュリティ性を高めたシステムであっても、操作性が犠牲とならない。したがって、高度なセキュリティと高い操作性の両立を図ることができる。
【００４７】
さらに、ユーザ認証にキーボード等の入力装置を必要としないため、従来、入力装置の設置が困難な環境でも、操作を受け付けるための操作端末を設置可能となる。また、ユーザ認証のための特別の操作を必要としないため、例えば、キー入力に不慣れな運転員の負担を大幅に軽減できる。
【００４８】
さらにまた、システム管理者にとっては、アカウントやパスワードの発行、管理などのセキュリティ関連業務が軽減されることになる。これによりシステム運用コストの削減を図ることができる。
【００４９】
上記本実施形態では、運転員の操作履歴を履歴テーブルとして記録している。このため、運転員による運転操作やシステムの構築等の作業内容を蓄積でき、この情報を定期的にチェックすることで運転員ごとの作業内容を管理することができる。また、蓄積された作業内容から運動員の動線を把握することが可能となり、それをもとに操作端末の配置等の作業環境を改善することができる。
【００５０】
また、個々の運転員には、自らの作業がしやすいデスクトップ環境が存在する。そこで、個々のデスクトップ環境の設定情報をシステム内、例えば、操作監視装置３の記憶部３に記憶しておいてもよい。この場合、ログイン時に設定情報を読み出し、操作対象となる操作端末のデスクトップ環境を、予め設定されたデスクトップ環境に切り替えることができる。デスクトップ環境以外の操作環境についても、同様の仕組みを実現できる。この場合、操作環境と運転員のユーザＩＤを対応付けて記憶しておけばよい。運転員は特別な操作をすることなく、常に自分にとって最良の操作環境で作業することが可能となる。なお、操作環境を記憶する処理は、環境記憶手段１０６（図２）の機能に対応する。
【００５１】
上記実施形態では、一定の権限を要する操作についてのみ、操作履歴を記憶している（図３のステップＳ８）。しかし、権限の必要性と無関係に操作履歴を記憶してもよい。
【００５２】
また、本発明によるユーザ認証方法を適用する操作内容は限定されない。例えば、フィールド機器に対するデータ値の設定や、フィールド機器に設定されたデータの読み込み操作、プラント制御システムで発生するアラームやメッセージの確認操作等に対しても、本発明によるユーザ認証方法を適用することができる。これらの操作について、操作履歴を記憶してもよい。
【００５３】
さらに、ＲＦＩＤシステムを、プラント制御システムを構成する機器の管理に利用することもできる。
【００５４】
図１では、フィールド機器１に電子タグ８を取り付けた例を示している。電子タグ８には対応するフィールド機器１のメンテナンス情報や機器情報を、所定の書き込み装置（ライタ）等を用いて書き込むことができる。また、所定の読み込み装置（リーダ）等を用いて記録済みの情報を読み出すことができる。このような情報に基づいて運転中の異常監視や機器故障監視のロジックをプラント制御システムに組み込みことが可能となる。フィールド機器１に対するメンテナンスの履歴やアラームの発生履歴を電子タグ８に記録してもよい。これらの履歴を電子タグ８に記録することで、電子タグ８が付された機器を適切に管理することが可能となる。
【００５５】
本発明の適用範囲は上記実施形態に限定されることはない。本発明は、プラント制御システムにおいてユーザ認証が要求される場面に対し、広く適用することができる。
【図面の簡単な説明】
【００５６】
【図１】本実施形態のユーザ認証方法が適用されるプラント制御システムの構成を示すブロック図。
【図２】本実施形態のユーザ認証方法を実行するための構成を機能的に示すブロック図。
【図３】プラント制御システムにおけるユーザ認証の処理手順を示すフローチャート。
【符号の説明】
【００５７】
３      操作監視装置
６      ＩＤ読取装置
７      送信装置
８      電子タグ
３１    記憶部
１０１  ユーザＩＤ送信手段
１０２  認証手段
１０３  接近検知手段
１０４  操作受付手段
１０５  操作履歴記憶手段
１０６  環境記憶手段
１０７  退出検知手段
１０８  操作拒否手段
【図１】
2006195621.tif 000003
【図２】
2006195621.tif 000004
【図３】
2006195621.tif 000005